(57)【特許請求の範囲】
【請求項１】
オートフォーカス動作を含む撮像装置であって、
被写体の光学画像を生成する光学系と、
前記光学画像を画像信号に変換する撮像素子と、
前記光学系を制御して、前記被写体に対する前記オートフォーカス動作を実行するオートフォーカス制御手段と、
前記オートフォーカス動作のために、前記被写体に対して発光する発光手段と、
前記オートフォーカス動作時に、前記画像信号に含まれる人間の眼の開眼又は閉眼を判定する判定手段と、
前記発光手段の発光を禁止する発光制御手段と、を備え、
前記オートフォーカス動作において、前記判定手段は、前記閉眼が所定時間以上，継続すると、前記発光制御手段に閉眼を通知し、前記発光制御手段は、前記判定手段から前記閉眼が通知されているときは、前記発光手段の発光を禁止する、
撮像装置。
【請求項２】
表示部を有し、
前記発光制御手段は、前記判定手段から前記閉眼が通知されているときは、オートフォーカス動作に関するメッセージを、前記表示部に表示させる、
請求項１に記載の撮像装置。
【発明の詳細な説明】
【技術分野】
【０００１】
本発明は、被写体である人物の開眼又は閉眼を判定することができる撮像装置に関するものである。
【背景技術】
【０００２】
居眠りを検出して警報を発する技術については、多数の先行技術文献が存在する。このような技術においては、カメラによって人物の顔を連続的に撮影し、得られた画像に基づいて人物の開眼又は閉眼を判定することが一般的である。そして、所定の時間以上、閉眼が継続していると警報を発する。例えば、特許文献１は、このような居眠り運転防止装置を開示する。また、特許文献２は、瞬きとその後の眼球の移動に基づいて、居眠り検出の精度を向上させた居眠り検出装置を開示する。
【先行技術文献】
【特許文献】
【０００３】
【特許文献１】特開２００８−７７１８９号公報
【特許文献２】特開２００６−１３６５５号公報
【発明の概要】
【発明が解決しようとする課題】
【０００４】
一方で、睡眠を妨害したくない場面も存在する。例えば、赤ちゃんの寝顔を撮影するような場面である。このような場面では、通常、フラッシュの発光を禁止するであろう。しかし、多くのユーザは、撮像装置、例えば、デジタルカメラを全自動モードで使用している。このとき、フラッシュを発光させるか否かは、被写体の明るさに基づいてデジタルカメラが自動的に決定する。そうすると、意図せずフラッシュが発光して、赤ちゃんの睡眠を妨害する場合がある。また、デジタルカメラは、合焦時や撮影時に電子音を発するのが一般的である。静かな場所で撮影する場合は、このような電子音が赤ちゃんの睡眠を妨害する場合もある。
【０００５】
本発明は、意図しないフラッシュの発光と電子音の発生を自動的に禁止し、被写体である人物の睡眠を妨害することのない撮像装置を提供することを目的とする。
【課題を解決するための手段】
【０００６】
前記課題を解決するために、本発明の撮像装置は、被写体の光学画像を生成する光学系と、前記光学画像を画像信号に変換する撮像素子と、被写体に閃光を発する発光手段と、前記画像信号に含まれる人間の眼の開眼又は閉眼を判定する判定手段と、前記判定手段が閉眼であると判定しているときは前記発光手段の発光を禁止する制御手段と、を備える、ことを特徴とする。
【０００７】
この構成においては、発光手段が発光可能な設定であっても、判定手段が閉眼であると判定しているときは発光手段が発光することがないので、人物の睡眠を妨害することがない。
【０００８】
また、本発明の撮像装置は、被写体の光学画像を生成する光学系と、前記光学画像を画像信号に変換する撮像素子と、電子音を発する発音手段と、前記画像信号に含まれる人間の眼の開眼又は閉眼を判定する判定手段と、前記判定手段が閉眼であると判定しているときは前記発音手段の発音を禁止する制御手段と、を備える、ことを特徴とする。
【０００９】
この構成においては、発音手段が発音可能な設定であっても、閉眼であると判定しているときは発音手段が発音することがないので、人物の睡眠を妨害することがない。
【００１０】
また、本発明の撮像装置は、フォーカスレンズを含み被写体の光学画像を生成する光学系と、前記フォーカスレンズを駆動する駆動手段と、前記光学画像を画像信号に変換する撮像素子と、被写体の明るさが所定の明るさよりも暗いときに被写体に補助光を発光する補助光発光手段と、前記画像信号に含まれる人間の眼の開眼又は閉眼を判定する判定手段と、被写体の明るさを測光する測光手段と、前記判定手段が閉眼であると判定している場合は前記測光手段が測光した被写体の明るさが所定の明るさよりも暗いときであっても前記補助光発光手段の発光を禁止する制御手段と、を備える、ことを特徴とする。
【００１１】
この構成においては、オートフォーカス動作が可能な撮像装置であっても、閉眼であると判定している場合であって被写体の明るさが所定の明るさよりも暗いときは、補助光の発光を禁止するので、人物の睡眠を妨害することがない。
【００１２】
また、本発明の撮像装置は、被写体の光学画像を生成する光学系と、前記光学画像を画像信号に変換する撮像素子と、前記画像信号に基づく画像を表示する表示手段と、前記画像信号に基づく画像を表示するファインダーと、前記画像信号に含まれる人間の眼の開眼又は閉眼を判定する判定手段と、被写体の明るさを測光する測光手段と、前記判定手段が閉眼であると判定している場合に前記測光手段が測光した被写体の明るさが所定の明るさよりも暗いときは前記画像信号に基づく画像を前記ファインダーに表示させ前記画像信号に基づく画像を前記表示手段に表示させない制御手段と、を備える、ことを特徴とする。
【００１３】
この構成においては、表示面積が大きくバックライト等による背面照明がなされる表示手段ではなく、覗き込むタイプのファインダーに画像を表示させるので、人物の睡眠を妨害することがない。
【発明の効果】
【００１４】
以上のように、本発明によれば、意図しないフラッシュの発光と電子音の発生等を自動的に禁止するので、被写体である人物の睡眠を妨害することのない撮像装置を提供することができる。
【図面の簡単な説明】
【００１５】
【図１】本発明の実施の形態１に係るデジタルカメラの外観図
【図２】本発明の実施の形態１に係るデジタルカメラのブロック図
【図３】液晶モニターへの表示の一例を示す図
【図４】本発明の実施の形態２に係るデジタルカメラの前面を示す斜視図
【図５】本発明の実施の形態２に係るデジタルカメラの背面を示す斜視図
【図６】本発明の実施の形態２に係るデジタルカメラのブロック図
【発明を実施するための形態】
【００１６】
（実施の形態１）
実施の形態１では、本発明をコンパクトタイプのデジタルカメラに適用した例について説明する。ここでは、発光手段であるフラッシュの制御と、発音手段であるスピーカの制御と、補助光発光手段であるＡＦ補助光ランプの制御について説明する。
（１−１．構成）
図１は、本発明の実施の形態１に係るデジタルカメラの外観図である。図１（ａ）は、正面図であり、図１（ｂ）は、背面図である。
【００１７】
デジタルカメラ１００の正面（図１（ａ）参照）には、撮像光学系１０１とフラッシュ１０２とＡＦ補助光ランプ１０７が配されている。撮像光学系１０１は、被写体光をデジタルカメラ１００内の撮像素子に結像させる。フラッシュ１０２は、暗所での撮影において、閃光を発して撮影光量の不足を補う。ＡＦ補助光ランプ１０７は、暗所での撮影において、補助光を発してオートフォーカス動作を円滑に行なわせる。フラッシュ１０２には、キセノンランプが用いられることが多く、ＡＦ補助光ランプ１０７には、ＬＥＤが用いられることが多い。
【００１８】
デジタルカメラ１００の上面には、シャッターボタン１０３が配されている。シャッターボタン１０３を押下すると、撮像素子に結像した被写体像に基づく画像データがメモリカード等の記録媒体に記録される。
【００１９】
デジタルカメラ１００の背面（図１（ｂ）参照）には、液晶モニター１０４、モードダイヤル１０５、各種操作ボタン１０６が配されている。液晶モニター１０４には、撮像素子に結像した被写体像に基づく画像が表示される。従って、液晶モニター１０４に表示された画像を観察しながら撮影のための構図を決定することができる。また、液晶モニター１０４は、記録媒体に記録された画像データに基づく画像を表示することができる。
【００２０】
モードダイヤル１０５を操作することで、デジタルカメラ１００の動作モードを決定することができる。デジタルカメラ１００の動作モードには、撮影モードと再生モードがある。
【００２１】
撮影モードは、シャッターボタン１０３を押下することにより、撮像素子に結像した被写体像に基づく画像データをメモリカード等の記録媒体に記録することができる動作モードである。撮影モードは、さらに全自動撮影モード、プログラム撮影モード、シャッター速度優先撮影モード、絞り優先撮影モード、シーン別撮影モードに細分される。
【００２２】
撮影モードとは別個独立に、フラッシュ１０２の発光モードの設定を行うことができる。フラッシュ１０２の発光モードには、全自動発光モード、赤目軽減全自動発光モード、強制発光モード、発光禁止モードがある。従って、フラッシュ１０２の発光モードを発光禁止モードに設定していれば、いずれの撮影モードにおいてもフラッシュ１０２が発光することはない。フラッシュ１０２の発光モードの設定は、各種操作ボタン１０６を用いて行なうことができる。
【００２３】
しかし、フラッシュ１０２の発光モードを撮影モードとは別個独立に設定することができるため、赤ちゃんの寝顔等を撮影するときに、フラッシュ１０２の発光モードを発光禁止モードに設定することを忘れて、例えば、全自動発光モードのまま不用意に撮影してしまうことがある。そうすると、フラッシュ１０２が発光して赤ちゃんの睡眠を妨害することになる。
【００２４】
再生モードは、記録媒体に記録された画像データに基づく画像を液晶モニター１０４に表示することができる動作モードである。
【００２５】
各種操作ボタン１０６を操作することによって、撮影モードと再生モードにおける、さらに詳細な設定をすることができる。すなわち、撮影モードにおいては、前述したフラッシュ１０２の発光モードの設定の他に、露出補正、ホワイトバランス調整に関する設定等を行うことができる。また、再生モードにおいては、液晶モニター１０４に表示された画像の拡大や縮小、液晶モニター１０４に同時に表示する画像の数の設定、メモリカード等の記録媒体に記録された画像データの検索等を行うことができる。
【００２６】
各種操作ボタン１０６を操作することによって、オートフォーカスとマニュアルフォーカスを切換えることができる。マニュアルフォーカスにおいては、各種操作ボタン１０６を操作することによって、被写体光をＣＣＤイメージセンサー３０１に合焦させることができる。
（１−２．動作）
図２は、本発明の実施の形態１に係るデジタルカメラ１００のブロック図である。撮像光学系１０１は、被写体光を撮像素子であるＣＣＤイメージセンサー３０１に結像させる。撮像光学系１０１は、複数のレンズ群で構成されている。本発明の実施の形態１に係るデジタルカメラ１００においては、撮像光学系１０１内にフォーカスレンズ１０１ａを配している。フォーカスレンズ１０１ａは、駆動手段であるステッピングモータ１０１ｂによって、撮像光学系１０１の光軸方向に駆動される。これによって、被写体光をＣＣＤイメージセンサー３０１に合焦させることができる。
【００２７】
ＣＣＤイメージセンサー３０１は、結像した被写体像に基づく画像信号を出力する。ＡＦＥ３０２は、ＣＣＤイメージセンサー３０１の出力する画像信号に所定の処理を施してデジタル信号に変換し、信号処理ＬＳＩ３０５内の前処理部３０５ａに出力する。
【００２８】
信号処理ＬＳＩ３０５は、前処理部３０５ａとＣＰＵ３０５ｂと画像処理部３０５ｃによって構成されている。
【００２９】
前処理部３０５ａは、ＡＦＥ３０２から出力されたデジタル信号をＹＣデータに変換してからバス３０３を経由してＳＤＲＡＭ３０４に格納する。
【００３０】
ＣＰＵ３０５ｂは、デジタルカメラ１００全体の制御を行う。ＣＰＵ３０５ｂは、シャッターボタン１０３、モードダイヤル１０５、各種操作ボタン１０６の操作を監視する。ＣＰＵ３０５ｂは、ステッピングモータ１０１ｂの動作を制御することができる。ＣＰＵ３０５ｂは、フラッシュ１０２の発光、ＡＦ補助光ランプ１０７の点灯を制御することができる。ＣＰＵ３０５ｂは、デジタルカメラ１００に内蔵されたスピーカ３０７の発音を制御することができる。
【００３１】
画像処理部３０５ｃは、前処理部３０５ａによってＳＤＲＡＭ３０４に格納されたＹＣデータを液晶モニター１０４による表示に適した表示データに変換し、バス３０３を経由して液晶モニター１０４に出力する。これによって、液晶モニター１０４に表示された画像を観察しながら撮影のための構図を決定することができる。
【００３２】
画像処理部３０５ｃは、前処理部３０５ａによってＳＤＲＡＭ３０４に格納されたＹＣデータの平均輝度を算出することができる。画像処理部３０５ｃは、算出したＹＣデータの平均輝度をＣＰＵ３０５ｂに通知する。
【００３３】
画像処理部３０５ｃは、前処理部３０５ａによってＳＤＲＡＭ３０４に格納されたＹＣデータに含まれる人間の眼の閉眼を判定することができる。画像処理部３０５ｃは、まずＹＣデータに含まれる人間の顔を認識し、認識した人間の顔から眼の位置を特定する。画像処理部３０５ｃは、次に眼の高さから閉眼を判定する。画像処理部３０５ｃは、閉眼が所定の時間以上継続すると、ＣＰＵ３０５ｂに閉眼を通知する。これは、単なる瞬きを除外するためである。なお、眼の高さではなく、特定した眼の位置に眼球が検出されなければ閉眼であると判定するようにしてもよい。
【００３４】
シャッターボタン１０３の半押しによって合焦動作が開始される。画像処理部３０５ｃは、前処理部３０５ａによってＳＤＲＡＭ３０４に格納されたＹＣデータのコントラストを算出してＣＰＵ３０５ｂに通知する。ＣＰＵ３０５ｂは、画像処理部３０５ｃから通知されたＹＣデータのコントラストに基づいて、ＹＣデータのコントラストをより高くするように、ステッピングモータ１０１ｂを動作させてフォーカスレンズ１０１ａを駆動する。この処理を繰り返すことによって、ＹＣデータのコントラストが最大になるフォーカスレンズ１０１ａの位置を決定する。これによって、被写体光をＣＣＤイメージセンサー３０１に合焦させることができる。
【００３５】
被写体の明るさが所定の明るさよりも暗いときは、そもそもＹＣデータのコントラストが低いので前述の処理を円滑に行なうことができない。そこで、ＣＰＵ３０５ｂは、ＡＦ補助光ランプ１０７を点灯させる。ＡＦ補助光ランプ１０７の点灯を許可するか禁止するかは、各種設定ボタン１０６の操作によって選択することができる。しかし、フラッシュ１０２の発光モードの設定と同様に、これを忘れて、ＡＦ補助光ランプ１０７の点灯を許可したまま不用意に撮影してしまうことがある。そうすると、ＡＦ補助光ランプ１０７が点灯して赤ちゃんの睡眠を妨害することになる。
【００３６】
ＡＦ補助光ランプ１０７は、フラッシュ１０２のように閃光を発するものではないものの、被写体の合焦させたい部位に集中的に照射される。赤ちゃんの寝顔等を撮影するときには、赤ちゃんの顔に合焦させたいと考えるのが通常である。また、画像処理部３０５ｃがＹＣデータに含まれる人間の顔を認識しているのであるから、ＣＰＵ３０５ｂが認識された人間の顔に合焦させるようにステッピングモータ１０１ｂを動作させてフォーカスレンズ１０１ａを駆動することもできる。そうすると、赤ちゃんの顔にＡＦ補助光が集中的に照射されるので、赤ちゃんの睡眠を妨害することになる。
【００３７】
そこで、本発明の実施の形態１に係るデジタルカメラ１００において、ＣＰＵ３０５ｂは、画像処理部３０５ｃから通知されたＹＣデータの平均輝度がＡＦ補助光ランプ１０７を点灯させるべき第一の輝度よりも低い場合であっても、画像処理部３０５ｃから閉眼が通知されているときは、ＡＦ補助光ランプ１０７の点灯の許可又は禁止の選択に関わらず、ＡＦ補助光ランプ１０７を点灯させないように制御する。これによって、赤ちゃんの顔にＡＦ補助光が集中的に照射され、赤ちゃんの睡眠を妨害することがない。
【００３８】
しかし、ＡＦ補助光ランプ１０７を点灯させないとオートフォーカス動作に時間がかかったり、オートフォーカス動作が完了しなかったりする。そこで、ＣＰＵ３０５ｂは、オートフォーカス動作中は、「オートフォーカス動作中です。」というメッセージを液晶モニター１０４に表示させる。また、所定の時間が経過してもＹＣデータのコントラストが最大になるフォーカスレンズ１０１ａの位置を決定することができない場合は、「マニュアルフォーカスに切換えてください。」というメッセージを液晶モニター１０４に表示させる。
【００３９】
図３は、液晶モニター１０４への表示の一例を示す図である。赤ちゃんの寝顔等を撮影するときは、急いで撮影する必要がないので、このようなメッセージを液晶モニター１０４に表示させて、オートフォーカス動作に時間がかかることやオートフォーカス動作を完了することができないのでマニュアルフォーカスに切換えるべき旨を報知しても大きな支障はない。
【００４０】
オートフォーカス動作が完了すると、ＣＰＵ３０５ａは、オートフォーカス動作の完了を示すマークを液晶モニター１０４に表示させるとともに、スピーカ３０７を「ピッピッ」という一定のパターンで発音させる。スピーカ３０７の発する電子音の音量は、各種操作ボタン１０６を操作することによって、「なし」「小」「大」の中から選択することができる。しかし、フラッシュ１０２の発光モードの設定と同様に、これを忘れて、例えば、「大」のまま不用意に撮影してしまうことがある。そうすると、スピーカ３０７が大音量で発音して赤ちゃんの睡眠を妨害することになる。
【００４１】
そこで、本発明の実施の形態１に係るデジタルカメラ１００において、ＣＰＵ３０５ｂは、オートフォーカス動作が完了した場合であっても、画像処理部３０５ｃから閉眼が通知されているときは、スピーカ３０７の発する電子音の音量についての選択に関わらず、スピーカ３０７を発音させないように制御する。これによって、スピーカ３０７が発音することによる赤ちゃんの睡眠の妨害が発生することがない。
【００４２】
シャッターボタン１０３の全押しによって撮影が行われる。画像処理部３０５ｃは、ＳＤＲＡＭ３０４に格納されたＹＣデータが、シャッターボタン１０３の全押しによって格納されたＹＣデータであるときは、メモリカード３０６への記録に適した圧縮データに変換し、バス３０３を経由してメモリカード３０６に記録する。また、画像処理部３０５ｃは、ＳＤＲＡＭ３０４に格納されたＹＣデータが、シャッターボタン１０３の全押しによって格納されたＹＣデータであるときは、液晶モニター１０４による表示に適した表示データに変換し、バス３０３を経由して液晶モニター１０４に所定の時間だけ表示させる。
【００４３】
被写体の明るさが所定の明るさよりも暗いときは、ＣＰＵ３０５ｂは、フラッシュ１０２を発光させる。前述のようにフラッシュ１０２の発光モードを発光禁止モードに設定することはできるが、フラッシュ１０２の発光モードを撮影モードとは別個独立に設定することができるため、赤ちゃんの寝顔等を撮影するときに、フラッシュ１０２の発光モードを発光禁止モードに設定することを忘れて、例えば、全自動発光モードのまま不用意に撮影してしまうことがある。そうすると、フラッシュ１０２が発光して赤ちゃんの睡眠を妨害することになる。
【００４４】
そこで、本発明の実施の形態１に係るデジタルカメラ１００において、ＣＰＵ３０５ｂは、シャッターボタン１０３が全押しされ、画像処理部３０５ｃから通知されたＹＣデータの平均輝度がフラッシュ１０２を発光させるべき第二の輝度よりも低い場合であっても、画像処理部３０５ｃから閉眼が通知されているときは、フラッシュ１０２を発光させないように制御する。これによって、フラッシュ１０２が発光して赤ちゃんの睡眠を妨害することがない。シャッター速度が低下するので、シャッターボタン１０３が全押しされる前に、「手ぶれに注意してください。」等のメッセージを液晶モニター１０４に表示させるようにしてもよい。
【００４５】
シャッターボタン１０３が全押しされると、ＣＰＵ３０５ｂは、シャッター音を模した電子音をスピーカ３０７に発音させる。これは、コンパクトタイプのデジタルカメラ１００にあっては、メカニカルシャッターを備えるものの、その動作音は小さく、実際に撮影が行われたことを報知する必要があるからである。また、メカニカルシャッターを備えないコンパクトタイプのデジタルカメラも存在する。
【００４６】
スピーカ３０７の発するシャッター音を模した電子音の音量は、スピーカ３０７の発する電子音の音量と同様に、各種操作ボタン１０６を操作することによって、「なし」「小」「大」の中から選択することができる。しかし、スピーカ３０７の発する電子音の音量と同様に、これを忘れて、例えば、「大」のまま不用意に撮影してしまうことがある。そうすると、スピーカ３０７が大音量で発音して赤ちゃんの睡眠を妨害することになる。
【００４７】
そこで、本発明の実施の形態１に係るデジタルカメラ１００において、ＣＰＵ３０５ｂは、シャッターボタン１０３が全押しされた場合であっても、画像処理部３０５ｃから閉眼が通知されているときは、スピーカ３０７の発するシャッター音を模した電子音の音量についての選択に関わらず、スピーカ３０７を発音させないように制御する。これによって、スピーカ３０７が発音することによる赤ちゃんの睡眠の妨害が発生することがない。
（実施の形態２）
実施の形態２では、本発明をレンズ交換式のデジタルカメラに適用した例について説明する。ここでは、液晶モニター等の比較的大きな画面の表示手段と、接眼することによって画像を視認することができる電子式ファインダーの制御について説明する。デジタルカメラとしての基本的な動作は、実施の形態１に係るコンパクトタイプのデジタルカメラと同じであるので、実施の形態２において、あらためて説明することはしない。
（２−１．構成）
図４は、本発明の実施の形態２に係るデジタルカメラの前面を示す斜視図である。本発明の実施の形態２に係るデジタルカメラは、カメラ本体４００とカメラ本体４００に着脱可能な交換レンズ５００とから構成されている。
【００４８】
図５は、本発明の実施の形態２に係るデジタルカメラの背面を示す斜視図である。本発明の実施の形態２に係るデジタルカメラの背面には、電子式ビューファインダー４０１と液晶モニター４０２が備えられている。電子式ビューファインダー４０１の近傍には、接眼検出センサー４０３が備えられている。カメラ本体４００の背面の左上には、切換ボタン４０４が備えられている。
【００４９】
電子式ビューファインダー４０１は、接眼することによって画像を視認することができる表示手段である。両手と顔の一部で本発明の実施の形態２に係るデジタルカメラを支えることができるので、安定して構図を決定することができる。一方、液晶モニター４０２は、接眼しなくても画像を視認することができる表示手段である。比較的大きな画面で画像を視認することができるとともに、三脚を使用した植物のマクロ撮影などのように、電子式ビューファインダー４０１に接眼することが困難な状況においても容易に画像を視認することができる。また、液晶モニター４０２は、カメラ本体４００に対する角度を変えることができるように構成されている。液晶モニター４０２は、蛍光灯又はＬＥＤによるバックライトによって背後から照明されている。
【００５０】
交換レンズ５００は、被写体光を撮像素子に結像させる。撮像素子は、結像した被写体像に対応した画像信号を出力する。画像信号は表示データに変換され、表示データに基づく画像が、電子式ビューファインダー４０１又は液晶モニター４０２に表示される。
【００５１】
電子式ビューファインダー４０１及び液晶モニター４０２は、メモリカードスロット４０５に装着されたメモリカードに記録された圧縮データに基づく画像を表示することもできる。
【００５２】
モードダイヤル４０６によって撮影モードが選択されているときは、電子式ビューファインダー４０１又は液晶モニター４０２に、被写体像に対応した表示データに基づく画像が表示される。一方、モードダイヤル４０６によって再生モードが選択されているときは、電子式ビューファインダー４０１又は液晶モニター４０２に、メモリカードスロット４０５に装着されたメモリカードに記録された圧縮データに基づく画像が表示される。
【００５３】
モードダイヤル４０６によって撮影モードが選択されているときに、シャッターボタン４０７を押下すると、撮像素子から出力された画像信号に基づく圧縮データが、メモリカードスロット４０５に装着されたメモリカードに記録される。
【００５４】
以降の説明では、被写体像に対応した表示データに基づく画像またはメモリカードスロット４０５に装着されたメモリカードに記録された圧縮データに基づく画像を単に画像と記載する。
【００５５】
接眼検出センサー４０３が接眼を検出しているときは、電子式ビューファインダー４０１に、画像が表示される。一方、接眼検出センサー４０３が接眼を検出していないときは、液晶モニター４０２に、画像が表示される。
【００５６】
電子式ビューファインダー４０１又は液晶モニター４０２に画像が表示されているときに、切換ボタン４０４が操作されると、接眼検出センサー４０３が接眼を検出しているか否かにかかわらず、現在画像が表示されている表示手段から現在画像が表示されていない表示手段に表示を切換える。例えば、電子式ビューファインダー４０１に画像が表示されているときに、切換ボタン４０４が操作されると、液晶モニター４０２に表示を切換える。一方、液晶モニター４０２に画像が表示されているときに、切換ボタン４０４が操作されると、電子式ビューファインダー４０１に表示を切換える。
（２−２．動作）
図６は、本発明の実施の形態２に係るデジタルカメラのブロック図である。
【００５７】
カメラ本体４００は、電子式ビューファインダー４０１、液晶モニター４０２、接眼検出センサー４０３、切換ボタン４０４、メモリカードスロット４０５、モードダイヤル４０６、シャッターボタン４０７、シャッター４０８、撮像素子４０９、信号処理回路４１０、本体制御回路４１１を備える。
【００５８】
交換レンズ５００は、対物レンズ５０１、ズームレンズ５０２、絞り機構５０３、フォーカスレンズ５０４、レンズ制御回路５０５を備える。
【００５９】
モードダイヤル４０６によって撮影モードが選択されているときは、シャッター４０８は開状態であって、撮像素子４０９の露光量は、絞り機構５０３と電子シャッターで調整されている。
【００６０】
交換レンズ５００は、被写体光を撮像素子４０９に結像させる。撮像素子４０９は、結像した被写体像に対応した画像信号を信号処理回路４１０に出力する。信号処理回路４１０は、画像信号に所定の処理を施した表示データを電子式ビューファインダー４０１又は液晶モニター４０２に出力する。
【００６１】
シャッターボタン４０７が押下されると、撮像素子４０９に蓄積された電荷を引き抜いた後に、シャッター４０８が所定の時間だけ開状態を継続する。信号処理回路４１０は、撮像素子４０９から出力された画像信号に所定の処理を施した圧縮データをメモリカードスロット４０５に装着されたメモリカードに記録する。
【００６２】
モードダイヤル４０６によって再生モードが選択されているときは、信号処理回路４１０は、メモリカードスロット４０５に装着されたメモリカードに記録された圧縮データを読み出して、読み出した圧縮データに所定の処理を施した表示データを電子式ビューファインダー４０１又は液晶モニター４０２に出力する。
【００６３】
本体制御回路４１１は、接眼検出センサー４０３、切換ボタン４０４、モードダイヤル４０６、シャッターボタン４０７の状態を監視し、シャッター４０８、撮像素子４０９、信号処理回路４１０の動きを制御する。また、レンズ制御回路５０５と通信して、交換レンズ５００全体の動きを制御する。なお、図３では、本体制御回路４１１とレンズ制御回路５０５との通信経路は図示していない。
【００６４】
ズームレンズ５０２は、光軸Ｌ上を進退することで、交換レンズ５００の焦点距離を変える。絞り機構５０３は、開口部の面積を変えることで、交換レンズ５００を通過する光の量を変える。フォーカスレンズ５０４は、光軸Ｌ上を進退することで、交換レンズ５００を通過する光を撮像素子５０９に合焦させる。レンズ制御回路５０５は、本体制御回路５１１と通信して、ズームレンズ５０２、絞り機構５０３、フォーカスレンズ５０４の動きを制御する。
【００６５】
信号処理回路４１０は、撮像素子４０９によって出力された画像信号に含まれる人間の眼の閉眼を判定することができる。信号処理回路４１０は、まず画像信号に含まれる人間の顔を認識し、認識した人間の顔から眼の位置を特定する。信号処理回路４１０は、次に眼の高さから閉眼を判定する。信号処理回路４１０は、閉眼が所定の時間以上継続すると、本体制御回路４１１に閉眼を通知する。これは、単なる瞬きを除外するためである。なお、眼の高さではなく、特定した眼の位置に眼球が検出されなければ閉眼であると判定するようにしてもよい。
【００６６】
本体制御回路４１１は、液晶モニター４０２に画像が表示されている場合であっても、信号処理回路４１０から閉眼が通知されたときは、液晶モニター４０２への画像の表示を中止し電子式ビューファインダー４０１に画像を表示するように制御する。このとき、液晶モニター４０２から電子式ビューファインダー４０１に表示を切換える前に「電子式ビューファインダーに表示を切換えます。」等のメッセージを液晶モニター４０２に数秒間表示させるようにしてもよい。
【００６７】
また、本体制御回路４１１は、電子式ビューファインダー４０１に画像が表示されているときに切換ボタン４０４が操作された場合であっても、信号処理回路４１０から閉眼が通知されているときは、電子式ビューファインダー４０１から液晶モニター４０２に表示を切換えない。これによって、液晶モニター４０２のバックライトによる赤ちゃんの睡眠の妨害が発生することがない。
【産業上の利用可能性】
【００６８】
本発明によれば、被写体である人物の睡眠を妨害することのない撮像装置を提供することができるので、デジタルカメラやデジタルビデオカメラに適用して有用である。
【符号の説明】
【００６９】
１００    デジタルカメラ
１０１    撮像光学系
１０１ａ    フォーカスレンズ
１０１ｂ    ステッピングモータ
１０２    フラッシュ
１０３    シャッターボタン
１０４    液晶モニター
１０５    モードダイヤル
１０６    各種操作ボタン
１０７    ＡＦ補助光ランプ
３０１    ＣＣＤイメージセンサー
３０２    ＡＦＥ
３０３    バス
３０４    ＳＤＲＡＭ
３０５    信号処理ＬＳＩ
３０５ａ    前処理部
３０５ｂ    ＣＰＵ
３０５ｃ    画像処理部
３０６    メモリカード
３０７    スピーカ
４００    カメラ本体
４０１    電子式ビューファインダー
４０２    液晶モニター
４０３    接眼検出センサー
４０４    切換ボタン
４０５    メモリカードスロット
４０６    モードダイヤル
４０７    シャッターボタン
４０８    シャッター
４０９    撮像素子
４１０    信号処理回路
４１１    本体制御回路
５００    交換レンズ
５０１    対物レンズ
５０２    ズームレンズ
５０３    絞り機構
５０４    フォーカスレンズ
５０５    レンズ制御回路
【図１】
0005874009.tif 000002
【図２】
0005874009.tif 000003
【図３】
0005874009.tif 000004
【図４】
0005874009.tif 000005
【図５】
0005874009.tif 000006
【図６】
0005874009.tif 000007